(57)【要約】【課題】図柄表示器の表示内容が埃の影響で不鮮明になることを防止すること。【解決手段】昇降モータ１５６の駆動時にはアーム１６４が上下動し、前ブラシ１６６が遊技盤の後面から埃を払拭し、後ブラシ１６８が図柄表示器の表示画面から埃を払拭する。この昇降モータ１５６の運転時には送風機１７２が運転され、埃が前吸引ノズル１６５および後吸引ノズル１６７のそれぞれからアーム１６４内に吸引され、アーム１６４内から吸引ホース１７０を通してダストボックス１７７内に移送される。このため、遊技盤および図柄表示器が相互に接合された構成であっても遊技盤を図柄表示器から取外すことなく遊技盤の後面および図柄表示器の表示画面のそれぞれから埃を払拭して排出することができるので、図柄表示器の表示内容が埃の影響で不鮮明になることを防止できる。【選択図】図５
2007190247.tif 000002
【特許請求の範囲】
【請求項１】
透光性の遊技盤と、
前記遊技盤の後方に設けられ、大当りおよび外れを識別するための識別図柄が表示される表示画面を有する図柄表示器と、
前記遊技盤と前記図柄表示器との間に設けられ、前記図柄表示器の表示画面を取囲む枠状をなす枠部材と、
前記遊技盤の後面を清掃する清掃装置とを備え、
前記遊技盤と前記図柄表示器と前記枠部材の３部材は、前記遊技盤と前記図柄表示器と前記枠部材との間にこれら３部材で囲まれた閉鎖空間が形成されるように相互に接合され、
前記清掃装置は、
前記閉鎖空間の内部に収納され、縦方向または横方向へ延びるガイドレールと、
前記ガイドレールに沿って移動可能に設けられ、前記ガイドレールに対して直交する方向へ延びる中空状のアームと、
前記アームを移動操作する駆動源と、
前記遊技盤の後面に接触するものであって、前記アームと共に移動して前記遊技盤の後面から異物を払拭する前クリーナと、
前記アームに設けられ、前記遊技盤の後面に臨む前吸引口と、
前記アームに接続され、前記アームの移動に応じて変形または変位することで前記アームの移動を許容するフレキシブルパイプと、
前記閉鎖空間の外部に設けられ、前記前吸引口から前記アームおよび前記フレキシブルパイプを通して空気を吸引することで前記前クリーナが前記遊技盤の後面から払拭した異物を空気流に乗せて移送する吸引器とを備えていることを特徴とするパチンコ遊技機。
【請求項２】
透光性の遊技盤と、
前記遊技盤の後方に設けられ、大当りおよび外れを識別するための識別図柄が表示される表示画面を有する図柄表示器と、
前記遊技盤と前記図柄表示器との間に設けられ、前記図柄表示器の表示画面を取囲む枠状をなす枠部材と、
前記図柄表示器の表示画面を清掃する清掃装置とを備え、
前記遊技盤と前記図柄表示器と前記枠部材の３部材は、前記遊技盤と前記図柄表示器と前記枠部材との間にこれら３部材で囲まれた閉鎖空間が形成されるように相互に接合され、
前記清掃装置は、
前記閉鎖空間の内部に収納され、縦方向または横方向へ延びるガイドレールと、
前記ガイドレールに沿って移動可能に設けられ、前記ガイドレールに対して直交する方向へ延びる中空状のアームと、
前記アームを移動操作する駆動源と、
前記図柄表示器の表示画面に接触するものであって、前記アームと共に移動して前記図柄表示器の表示画面から異物を払拭する後クリーナと、
前記アームに設けられ、前記図柄表示器の表示画面に臨む後吸引口と、
前記アームに接続され、前記アームの移動に応じて変形または変位することで前記アームの移動を許容するフレキシブルパイプと、
前記閉鎖空間の外部に設けられ、前記後吸引口から前記アームおよび前記フレキシブルパイプを通して空気を吸引することで前記後クリーナが前記図柄表示器の表示画面から払拭した異物を空気流に乗せて移送する吸引器とを備えていることを特徴とするパチンコ遊技機。
【請求項３】
前記駆動源を駆動制御することに基づいて前記アームを移動制御するものであって、前記遊技盤の後面または前記図柄表示器の表示画面を清掃しないときには前記アームを予め決められた待機位置に停止させる制御を行う制御回路と、
前記遊技盤と前記枠部材との間に設けられ、前記遊技盤を通して視覚的に認識可能な装飾部材と、
前記装飾部材に設けられ、前記アームが前記待機位置に停止した状態で前記アームを前方から視覚的に認識不能に隠す遮蔽部と
を備えたことを特徴とする請求項１または２に記載のパチンコ遊技機。
【発明の詳細な説明】
【技術分野】
【０００１】
本発明は、透光性の遊技盤を備えたパチンコ遊技機に関する。
【背景技術】
【０００２】
上記パチンコ遊技機には遊技盤の後方に図柄表示器を配置し、前方から遊技盤を通して図柄表示器の表示内容を視認できるように構成したものがある。この構成の場合、図柄表示器と遊技盤との間に枠部材を介在し、図柄表示器で発生する熱が遊技盤側へ伝わることを枠部材によって抑えている。
【特許文献１】特開２００５−１５２５７９号公報
【発明の開示】
【発明が解決しようとする課題】
【０００３】
従来のパチンコ遊技機の場合、盤替え時に図柄表示器を残したまま遊技盤を交換することができるように遊技盤および図柄表示器のそれぞれが内枠に着脱可能に装着されているので、遊技盤を内枠から取外すことで遊技盤の後面および図柄表示器の表示画面をいずれも容易に清掃することができる。この従来のパチンコ遊技機の場合、透光性の遊技盤を別の透光性の遊技盤に交換することはできるが、透光性の遊技盤およびベニヤ製の遊技盤を相互に交換することはできない。これに対して盤替え時に遊技盤を図柄表示器ごと交換する構成の場合には透光性の遊技盤およびベニヤ製の遊技盤を相互に交換することができる。この構成の場合、遊技盤と図柄表示器と枠部材の３部材をまとめて交換できるように遊技盤と図柄表示器と枠部材の３部材が相互に分解不能に接合されているので、遊技盤の後面および図柄表示器の表示画面のいずれにも作業者の手が届かない。このため、遊技盤の後面および図柄表示器の表示画面をいずれも容易に清掃することができないので、図柄表示器の表示内容が遊技盤の後面に付着した埃の影響で不鮮明になったり、あるいは、図柄表示器の表示画面に付着した埃の影響で不鮮明になる虞れがある。
【０００４】
本発明は上記事情に鑑みてなされたものであり、その目的は、図柄表示器の表示内容が埃の影響で不鮮明になることを防止できるパチンコ遊技機を提供することにある。
【課題を解決するための手段】
【０００５】
＜請求項１記載のパチンコ遊技機の説明＞
請求項１記載のパチンコ遊技機は［１］遊技盤〜［４］清掃装置を含んで構成されたものであり、［４］清掃装置が［４−１］ガイドレール〜［４−７］吸引器を備えたところに特徴を有する。
［１］遊技盤は透光性を有するものであり、図３の符号３０は遊技盤の一例である。
［２］図柄表示器は遊技盤の後方に設けられたものであり、大当りおよび外れを識別するための識別図柄が表示される表示画面を有している。図３の装飾図柄表示器１４０は図柄表示器の一例であり、装飾図柄表示器１４０の液晶画面１４１は表示画面に相当する。この液晶画面１４１は３列の図柄要素からなる装飾図柄が表示されるものであり、装飾図柄は大当りおよび外れを識別するための識別図柄に相当する。
［３］枠部材は遊技盤と図柄表示器との間に設けられたものであり、図柄表示器の表示画面を取囲む枠状をなしている。この枠部材と遊技盤と図柄表示器の３部材は相互に接合されたものであり、枠部材と遊技盤と図柄表示器の間にはこれら３部材で囲まれた閉鎖空間が形成される。図５の符号９５は閉鎖空間の一例であり、図２のスペーサ９０は枠部材の一例である。このスペーサ９０は第１の枠部材に相当する前側の裏樋６０および第２の枠部材に相当する後側の液晶ステー８０を相互に接合することから構成されている。
［４］清掃装置は遊技盤の後面を清掃するものであり、図５の符号１５０は清掃装置の一例である。
［４−１］清掃装置は縦方向または横方向へ延びるガイドレールを備えている。このガイドレールは閉鎖空間の内部に収納されたものであり、図５の左ガイドレール１５１および図５の右ガイドレール１５９はいずれも縦方向へ延びるガイドレールの一例である。
［４−２］清掃装置はガイドレールに対して直交する方向へ延びる中空状のアームを備えている。このアームはガイドレールに沿って移動可能に設けられたものであり、図５の符号１６４は左ガイドレール１５１および右ガイドレール１５９の双方に対して直交する横方向へ延びるアームの一例である。
［４−３］清掃装置は駆動源を備えている。この駆動源はアームを移動操作するものであり、図５の昇降モータ１５６は駆動源の一例である。
［４−４］清掃装置は遊技盤の後面に接触する前クリーナを備えている。この前クリーナはアームと共に移動して遊技盤の後面から異物を払拭するものであり、図５の前ブラシ１６６は前クリーナの一例である。
［４−５］清掃装置は遊技盤の後面に臨む前吸引口を備えている。この前吸引口はアームに設けられたものであり、図５の前吸引ノズル１６５は前吸引口の一例である。
［４−６］清掃装置はフレキシブルパイプを備えている。このフレキシブルパイプはアームに接続されたものであり、アームの移動に応じて変形または変位することでアームの移動を許容する。図５の吸引ホース１７０はフレキシブルパイプの一例であり、アーム１６４の移動に応じて変位することでアーム１６４の移動を許容する。
［４−７］清掃装置は吸引器を備えている。この吸引器は閉鎖空間の外部に設けられたものであり、前吸引口からアームおよびフレキシブルパイプを通して空気を吸引することで前クリーナが遊技盤の後面から払拭した異物を空気流に乗せて移送する。このため、遊技盤と図柄表示器と枠部材が相互に接合された構成であっても遊技盤を図柄表示器から取外すことなくアームおよび吸引器の双方を運転することで遊技盤の後面から埃を払拭し、前吸引口からアームおよびフレキシブルパイプを通して閉鎖空間の外部に移送することができる。従って、遊技盤の後面を容易に清掃することができるので、図柄表示器の表示内容が遊技盤の後面に付着した埃の影響で不鮮明になることを防止できる。図５の送風機１７２は吸引器の一例である。
＜請求項２記載のパチンコ遊技機の説明＞
請求項２記載のパチンコ遊技機は図柄表示器の表示画面を清掃可能な清掃装置を備えたものである。この清掃装置は上述の［４−１］ガイドレールと［４−２］アームと［４−３］駆動源と［４−６］フレキシブルパイプに加えて［４−８］後クリーナと［４−９］後吸引口と［４−１０］吸引器を有するものであり、［４−８］後クリーナ〜［４−１０］吸引器は次の通りである。
［４−８］後クリーナはアームと共に移動して図柄表示器の表示画面から異物を払拭するものであり、図５の後ブラシ１６８は後クリーナの一例である。
［４−９］後吸引口はアームに設けられたものであり、図５の後吸引ノズル１６７は後吸引口の一例である。
［４−１０］吸引器は閉鎖空間の外部に設けられたものであり、後吸引口からアームおよびフレキシブルパイプを通して空気を吸引することで後クリーナが図柄表示器の表示画面から払拭した異物を空気流に乗せて移送する。このため、遊技盤と図柄表示器と枠部材が相互に接合された構成であっても遊技盤を図柄表示器から取外すことなくアームおよび吸引器の双方を運転することで図柄表示器の表示画面から埃を払拭し、後吸引口からアームおよびフレキシブルパイプを通して閉鎖空間の外部に移送することができる。従って、図柄表示器の表示画面を容易に清掃することができるので、図柄表示器の表示内容が表示画面に付着した埃の影響で不鮮明になることを防止できる。図５の送風機１７２は吸引器の一例である。
＜請求項３記載のパチンコ遊技機の説明＞
請求項３記載のパチンコ遊技機は［２１］制御回路〜［２３］遮蔽部を備えたところに特徴を有する。
［２１］制御回路は駆動源を駆動制御することに基づいてアームを移動制御するものであり、遊技盤の後面または図柄表示器の表示画面を清掃しないときにはアームを予め決められた待機位置に停止させる制御を行う。図８の清掃制御回路１８０は制御回路の一例であり、遊技盤３０の後面および図柄表示器１４０の表示画面１４１を清掃しないときにはアーム１６４を予め決められた待機位置である上昇限度位置に停止させる。図５はアーム１６４が上昇限度位置に停止した状態を示している。
［２２］装飾部材は遊技盤と枠部材との間に設けられたものである。この装飾部材は遊技盤を通して視覚的に認識可能なものであり、図３の上意匠板１１０は装飾部材の一例である。
［２３］遮蔽部は装飾部材に設けられたものであり、アームが待機位置に停止した状態でアームを前方から視覚的に認識不能に隠すものである。このため、アームを待機位置に停止させておくことでアームを遊技者から視認不能に隠すことができるので、図柄表示器の表示内容の見栄えがアームの影響で低下することを防止できる。図３の符号１７８は遮蔽部の一例である。
【発明を実施するための最良の形態】
【０００６】
図１の外枠１はパチンコホールの台島に設置されるものであり、前後面が開口する四角筒状をなしている。この外枠１には内枠２が左側部の垂直な軸３を中心に回動可能に装着されている。この内枠２は外枠１の前端面に接触する閉鎖状態および外枠１の前端面から前方へ離間する開放状態に相互に回動操作されるものであり、図１は内枠２を閉鎖状態で示している。この内枠２は、図２に示すように、前後面が開口する四角筒状をなすものであり、内枠２の下端部にはレール台４が形成され、内枠２の内部にはレール台４の上方に位置して遊技盤収納部５が形成されている。レール台４は発射レールが固定されるものであり、遊技盤収納部５は内枠２の内部空間のうちレール台４の残余部分を称する。この内枠２には４個の支え部６が形成されている。これら各支え部６は遊技盤収納部５内に突出する板状をなすものであり、上方の２個の支え部６のそれぞれにはＬ字状のストッパ７が前後方向へ延びる軸８を中心に回動可能に装着され、下方の２個の支え部６のそれぞれにはＬ字状のストッパ９が静止状態で固定されている。
【０００７】
内枠２には、図１に示すように、下端部に位置して横長な長方形状の下皿板１０が固定されており、下皿板１０には上面が開口する下皿１１が固定されている。この下皿板１０の上方には上皿板１２が配置されており、上皿板１２には上面が開口する上皿１３が固定されている。この上皿板１２は横長な長方形状をなすものであり、内枠２に左側部の垂直な軸を中心に回動可能に装着されている。この上皿板１２は内枠２の前端面に接触する閉鎖状態および内枠２の前端面から前方へ離間する開放状態に相互に回動操作されるものであり、図１は上皿板１２を閉鎖状態で示している。
【０００８】
下皿板１０の前面には右端部に位置してハンドル台１４が固定されており、ハンドル台１４には発射ハンドル１５が前後方向へ延びる軸を中心に回動可能に装着されている。この発射ハンドル１５の後方には発射モータが固定されており、発射ハンドル１５が回動操作されたときには発射モータに駆動電源が与えられ、発射モータの回転軸が一定方向へ一定速度で回転する。この発射モータの回転軸には、図２に示すように、発射装置１６が連結されている。この発射装置１６はレール台４に装着されたものであり、打球槌および駆動機構を有している。この駆動機構は発射モータの回転力を駆動源として打球槌を操作するものであり、打球槌は駆動機構によって操作されることに基づいて上皿１３内から供給される遊技球を叩き、遊技球を発射レールに沿って発射する。
【０００９】
内枠２には、図１に示すように、窓枠１７が左側部の垂直な軸を中心に回動可能に装着されている。この窓枠１７は内枠２の前端面に接触する閉鎖状態および内枠２の前端面から前方へ離間する開放状態に相互に回動操作されるものであり、図１は窓枠１７を閉鎖状態で示している。この窓枠１７は円形孔状の窓部を有するものであり、窓部の内周面には透明なガラス窓１８が固定されている。
【００１０】
内枠２の遊技盤収納部５には、図２に示すように、遊技盤ユニット２０が着脱可能に収納されている。この遊技盤ユニット２０は、図３に示すように、遊技盤３０と裏樋６０と液晶ステー８０と下意匠板１００と上意匠板１１０と裏樋カバー１２０と表示器ケース１３０と装飾図柄表示器１４０と清掃装置１５０を有するものであり、遊技盤３０〜清掃装置１５０の詳細構成は次の通りである。
１．遊技盤３０の説明
遊技盤３０は透明な合成樹脂（例えばポリカーボネートあるいはアクリルあるいはアクリルにゴムを混ぜた材質）の板からなるものであり、遊技盤３０の前面には、図４に示すように、外レール３１および内レール３２が固定されている。これら外レール３１と内レール３２との間には発射通路３３が形成されている。この発射通路３３は遊技盤３０の左端部に位置する円弧状の空間部を称するものであり、発射装置１５が発射した遊技球は発射レールから発射通路３３内に発射通路３３の入口３４から侵入し、発射通路３３に沿って円弧状の軌跡を描きながら上昇した後に発射通路３３の出口３５から放出される。
【００１１】
遊技盤３０の前面には右上部に位置して合成樹脂製の球止め部材３６が固定されている。この球止め部材３６は外レール３１の右端部と内レール３２の右端部との間の隙間を埋めるものであり、球止め部材３６と外レール３１と内レール３２との間には遊技領域３７が形成されている。この遊技領域３７は外レール３１と内レール３２と球止め部材３６によって囲まれた領域のうち発射通路３３を除く円形状をなすものである。この遊技領域３７は発射通路３３の出口３５から放出された遊技球が転動可能な最大範囲である転動領域に相当するものであり、遊技領域３７内には複数の釘３８が固定されている。    
【００１２】
遊技盤３０の前面には飾りレール３９が固定されている。この飾りレール３９は遊技領域３７内に配置されたものであり、飾りレール３９と外レール３１との間には球通路４０が形成され、飾りレール３９と内レール３２との間には球通路４１が形成されている。これら球通路４０および球通路４１のそれぞれは遊技領域３７内に放出された遊技球が転動可能なものであり、上方の球通路４０は左方の球通路４１に比べて幅狭に設定されている。遊技盤３０の前面には遊技領域３７の外部に位置して銘板台５３が固定されている。この銘板台５３の前面にはシールが貼付されており、シールには機種名・製造社名・大当り確率・賞品球の払出し個数が記入されている。
【００１３】
遊技盤３０には遊技領域３７内に位置して電動始動装置４２が固定されている。この電動始動装置４２は上始動口４３および下始動口４４を上下２段に有するものであり、上始動口４３および下始動口４４のそれぞれは上面が開口するポケット状をなしている。これら上始動口４３内および下始動口４４内のそれぞれには始動口センサが装着されており、上始動口４３内の始動口センサは遊技球が上始動口４３内に入賞したことを検出して制御基板に始動信号を出力し、下始動口４４内の始動口センサは遊技球が下始動口４４内に入賞したことを検出して制御基板に始動信号を出力する。この制御基板は内枠２に固定されたものであり、始動信号を検出することに基づいて上皿１３内に設定個数の遊技球を賞品球として払出し、大当りおよび外れを判定する。
【００１４】
下始動口４４には２枚の羽根板４５が装着されており、両羽根板４５は共通の始動口ソレノイドに連結されている。これら両羽根板４５は始動口ソレノイドが断電されることに基づいて垂直な縮小状態になるものであり、図４は両羽根板４５を縮小状態で示している。これら両羽根板４５の縮小状態では両羽根板４５相互間の隙間が上始動口４３によって上方から閉鎖され、遊技球が上始動口４３内のみに入賞することが許容される。これら両羽根板４５は始動口ソレノイドが通電されることに基づいて水平な拡大状態に回動するものであり、両羽根板４５の拡大状態では下始動口４４の左右両側部を落下する遊技球が羽根板４５によって捕捉されることに基づいて下始動口４４内に入賞可能になる。
【００１５】
遊技盤３０には遊技領域３７内に位置して特別電動入賞装置４６が固定されている。この特別電動入賞装置４６は前面が開放する特別入賞口および扉４７を有するものであり、扉４７は特別入賞口ソレノイドに連結されている。この扉４７は特別入賞口ソレノイドの断電状態で垂直な閉鎖状態になることに基づいて特別入賞口の前面を遊技球が入賞不能に閉鎖するものであり、図４は扉４７を閉鎖状態で示している。この扉４７は特別入賞口ソレノイドの通電状態で前方へ水平に倒れた開放状態に回動するものであり、扉４７の開放状態では遊技球が扉４７に乗って特別入賞口内に転がり込むことが許容される。この特別入賞口内にはカウントセンサが装着されており、カウントセンサは遊技球が特別入賞口内に入賞したことを検出して制御基板にカウント信号を出力し、制御基板はカウント信号を検出することに基づいて上皿１３内に設定個数の遊技球を賞品球として払出す。
【００１６】
遊技盤３０には、図３に示すように、始動口取付孔４８および特別入賞口取付孔４９が形成されており、始動口取付孔４８内には電動始動装置４２の樋５０が挿入され、特別入賞口取付孔４９内には特別電動入賞装置４６の樋５１が挿入されている。樋５０は電動始動装置４２の上始動口４３および下始動口４４の双方に接続されたものであり、上始動口４３内に入賞した遊技球および下始動口４４内に入賞した遊技球はいずれも樋５０に沿って後方へ転がる。樋５１は特別電動入賞装置４６の特別入賞口に接続されたものであり、特別入賞口内に入賞した遊技球は樋５１に沿って後方へ転がる。遊技盤３０には特別入賞口取付孔４９の下方に位置してアウト孔５２が形成されている。このアウト孔５２は、図４に示すように、内レール３２の最低部に配置されたものであり、上始動口４３と下始動口４４と特別入賞口のいずれにも入賞しなかった遊技球は内レール３４に沿ってアウト孔５２内に転がり込む。
２．裏樋６０の説明
裏樋６０は、図３に示すように、下部裏樋６１と左部裏樋６２と右部裏樋６３と上部裏樋６４の４部材を相互に四角枠状に組合せることから構成されたものであり、後方から裏樋６０を通して遊技盤３０に複数のネジを螺合することで遊技盤３０の後面に直接的に接合されている。この裏樋６０の下部裏樋６１には始動口挿入孔６５および特別入賞口挿入孔６６が形成されており、電動始動装置４２の樋５０は始動口挿入孔６５内に挿入され、特別電動入賞装置４６の樋５１は特別入賞口挿入孔６６内に挿入されている。この下部裏樋６１にはアウト口６７が形成されている。このアウト口６７は前後面が開口する筒状をなすものであり、遊技盤３０のアウト孔５２の内周面に嵌合されている。
【００１７】
下部裏樋６１には左下厚さ調整部６８および右下厚さ調整部６９が形成されている。これら左下厚さ調整部６８および右下厚さ調整部６９は遊技盤３０の前後方向の厚さ寸法を厚く調整するものであり、左下厚さ調整部６８は遊技盤３０と共に左下の支え部６および左下のストッパ９相互間で挟持され、右下厚さ調整部６９は遊技盤３０と共に右下の支え部６および右下のストッパ９相互間で挟持される。上部裏樋６４には左上厚さ調整部７０および右上厚さ調整部７１が形成されている。これら左上厚さ調整部７０および右上厚さ調整部７１は遊技盤３０の前後方向の厚さ寸法を厚く調整するものであり、左上厚さ調整部７０は遊技盤３０と共に左上の支え部６および左上のストッパ７相互間で挟持され、右上厚さ調整部７１は遊技盤３０と共に右上の支え部６および右上のストッパ７相互間で挟持される。
３．液晶ステー８０の詳細構成
液晶ステー８０は、図３に示すように、下部ステー８１と左部ステー８２と右部ステー８３と上部ステー８４を有する矩形枠状をなすものであり、下部ステー８１と左部ステー８２と右部ステー８３と上部ステー８４は単一物として一体成形されている。この液晶ステー８０は後方から液晶ステー８０を通して裏樋６０に複数のネジを螺合することで裏樋６０の後面に直接的に接合されたものであり、裏樋６０と共にスペーサ９０（図２参照）を構成している。このスペーサ９０は枠部材に相当するものであり、図３に示すように、下横部９１と左縦部９２と右縦部９３と上横部９４を有している。下横部９１は下部裏樋６１および下部ステー８１から構成されたものであり、左縦部９２は左部裏樋６２および左部ステー８２から構成されたものであり、右縦部９３は右部裏樋６３および右部ステー８３から構成されたものであり、上横部９４は上部裏樋６４および上部ステー８４から構成されたものである。
３．下意匠板１００の説明
下意匠板１００は前方から下意匠板１００を通して下部裏樋６１に複数のネジを螺合することで下部裏樋６１の前面に直接的に接合されたものであり、遊技盤３０と下部裏樋６１との間に配置されている。この下意匠板１００の前面には絵柄が印刷されており、下意匠板１００の絵柄は前方から遊技盤３０を通して視覚的に認識可能にされている。この下意匠板１００には始動口挿入孔１０１と特別入賞口挿入孔１０２と切欠部１０３が形成されており、電動始動装置４２の樋５０は始動口挿入孔１０１内を通して下部裏樋６１の始動口挿入孔６５内に挿入され、特別電動入賞装置４６の樋５１は特別入賞口挿入孔１０２内を通して下部裏樋６１の特別入賞口挿入孔６６内に挿入され、下部裏樋６１のアウト口６７は切欠部１０３を通して遊技盤３０のアウト孔５２内に嵌合されている。
４．上意匠板１１０の説明
上意匠板１１０は前方から上意匠板１１０を通して上部裏樋６４に複数のネジを螺合することで上部裏樋６４の前面に直接的に接合されたものであり、遊技盤３０と上部裏樋６４との間に配置されている。この上意匠板１１０の前面には絵柄が印刷されており、上意匠板１１０の絵柄は前方から遊技盤３０を通して視覚的に認識可能にされている。この上意匠板１１０は装飾部材に相当するものである。
５．裏樋カバー１２０の説明
裏樋カバー１２０は後方から裏樋カバー１２０を通して下部裏樋６１に複数のネジを螺合することで下部裏樋６１の後面に直接的に接合されたものであり、裏樋カバー１２０には球排出路が形成されている。この球排出路は電動始動装置４２の樋５０から落下した遊技球および特別電動入賞装置４６の樋５１から落下した遊技球が侵入するものであり、樋５０から落下した遊技球および樋５１から落下した遊技球は球排出路を通して裏樋カバー１２０の外部に排出される。
６．表示器ケース１３０の説明
表示器ケース１３０は下板部１３１と左板部１３２と右板部１３３と上板部１３４と後板部１３５を有する矩形皿状をなすものであり、下板部１３１と左板部１３２と右板部１３３と上板部１３４と後板部１３５の間には空間状の表示器収納部１３６が形成されている。この表示器ケース１３０の下板部１３１には２枚の下プレート１３７が形成され、表示器ケース１３０の上板部１３４には１枚の上プレート１３８が形成されており、各下プレート１３７には後方から複数のネジが挿入され、上プレート１３８には後方から複数のネジが挿入されている。各下プレート１３７に挿入された複数のネジは下部裏樋６１に螺合され、上プレート１３８に挿入された複数のネジは上部裏樋６４に螺合されており、表示器ケース１３０は裏樋６０を介して遊技盤３０の後面に間接的に接合され、液晶ステー８０は、図２に示すように、表示器ケース１３０の前方に表示器収納部１３６内から突出するように配置されている。
７．装飾図柄表示器１４０の説明
装飾図柄表示器１４０は表示器ケース１３０の表示器収納部１３６内に収納されたものであり、図３に示すように、液晶画面１４１および液晶画面１４１を保持する矩形状の画面フレーム１４２を有している。この画面フレーム１４２は液晶ステー８０と表示器ケース１３０の後板部１３５との間で挟持されたものであり、装飾図柄表示器１４０は遊技盤３０に裏樋６０および液晶ステー８０を介して間接的に接合され、装飾図柄表示器１４０と遊技盤３０と裏樋６０と液晶ステー８０の間には装飾図柄表示器１４０と遊技盤３０と裏樋６０と液晶ステー８０で囲まれた閉鎖空間９５（図５参照）が形成されている。この装飾図柄表示器１４０の画面フレーム１４２には外部から表示器ケース１３０を通して複数のネジが螺合されており、装飾図柄表示器１４０は複数のネジを介して表示器ケース１３０に固定されている。
【００１８】
装飾図柄表示器１４０の液晶画面１４１は下部裏樋６１と左部裏樋６２と右部裏樋６３と上部裏樋６４で囲まれた内部空間および下部ステー８１と左部ステー８２と右部ステー８３と上部ステー８４で囲まれた内部空間の後方に配置されており、下部裏樋６１および下部ステー８１のそれぞれは液晶画面１４１の下端面に沿って横方向へ延び、左部裏樋６２および左部ステー８２のそれぞれは液晶画面１４１の左側面に沿って縦方向へ延び、右部裏樋６３および右部ステー８３のそれぞれは液晶画面１４１の右側面に沿って縦方向へ延び、上部裏樋６４および上部ステー８４のそれぞれは液晶画面１４１の上端面に沿って横方向へ延びている。この液晶画面１４１は表示画面に相当するものであり、前方から遊技盤３０と裏樋６０の内部空間と液晶ステー８０の内部空間を通して視覚的に認識可能にされている。この液晶画面１４１は装飾図柄が表示されるものである。この装飾図柄は大当りおよび外れを識別する識別図柄として機能するものであり、左列の図柄要素と中列の図柄要素と右列の図柄要素から構成されている。
８．清掃装置１５０の説明
閉鎖空間９５の内部には、図５に示すように、垂直な左ガイドレール１５１が収納されている。この左ガイドレール１５１は縦方向へ延びるガイドレールに相当するものであり、下部ステー８１および上部ステー８４の双方に固定されている。この左ガイドレール１５１には左歯車台１５２が装着されている。この左歯車台１５２は左ガイドレール１５１の前面と後面と左側面に接触するものであり、左ガイドレール１５１の前面と後面と左側面に沿って上下方向へスライド可能にされている。左歯車台１５２の内部には左歯車１５３が軸１５４を中心に回転可能に装着されており、左歯車１５３は左ラック部１５５に噛合されている。この左ラック部１５５は上下方向に一定間隔で並ぶ複数の歯から構成されたものであり、左ガイドレール１５１の右側面の全域に形成されている。
【００１９】
左歯車台１５２の内部には駆動源に相当する昇降モータ１５６が固定されている。この昇降モータ１５６はステッピングモータからなるものであり、前後方向へ延びる回転軸１５７を有している。この回転軸１５７には主動歯車１５８が固定されている。この主動歯車１５８は左歯車１５３に噛合されており、昇降モータ１５６の回転軸１５７が回転したときには左歯車１５３が主動歯車１５８を介して回転操作され、左歯車台１５２が左ガイドレール１５１に沿って上下方向へ移動操作される。
【００２０】
閉鎖空間９５の内部には垂直な右ガイドレール１５９が収納されている。この右ガイドレール１５９は縦方向へ延びるガイドレールに相当するものであり、下部ステー８１および上部ステー８４の双方に固定されている。この右ガイドレール１５９には右歯車台１６０が装着されている。この右歯車台１６０は右ガイドレール１５９の前面と後面と右側面に接触するものであり、右ガイドレール１５９の前面と後面と右側面に沿って上下方向へスライド可能にされている。右歯車台１６０の内部には右歯車１６１が軸１６２を中心に回転可能に装着されており、右歯車１６１は右ラック部１６３に噛合されている。この右ラック部１６３は上下方向に一定間隔で並ぶ複数の歯から構成されたものであり、右ガイドレール１５９の左側面の全域に形成されている。
【００２１】
左歯車台１５２にはアーム１６４の左端部が固定されている。このアーム１６４は左ガイドレール１５１および右ガイドレール１５９の双方に対して直交する水平なものであり、アーム１６４の右端部は右歯車台１６０に固定されている。このアーム１６４は左端面および右端面が閉鎖された円筒状の中空パイプからなるものであり、左歯車台１５２が左ガイドレール１５１に沿って移動したときには左歯車台１５２の移動力がアーム１６４を通して右歯車台１６０に伝達され、右歯車１６１が回転することに基づいて右歯車台１６０が右ガイドレール１５９に沿って移動する。即ち、左歯車台１５２と右歯車台１６０とアーム１６４の３部材は昇降モータ１５６が駆動することに基づいて一体的に上下方向へ移動するものであり、アーム１６４は、図５に示すように、左歯車台１５２および右歯車台１６０の双方が上部ステー８４に接触することに基づいて上昇限度位置に到達し、図６に示すように、左歯車台１５２および右歯車台１６０の双方が下部ステー８１に接触することに基づいて下降限度位置に到達する。このアーム１６４の上昇限度位置は待機位置に相当するものである。
【００２２】
アーム１６４には、図５に示すように、複数の前吸引ノズル１６５が横一列に固定されている。これら各前吸引ノズル１６５は前後面が開口する円筒状をなすものであり、各前吸引ノズル１６５の内部空間は、図７に示すように、アーム１６４の内部空間に接続されている。これら各前吸引ノズル１６５は前吸引口に相当するものであり、遊技盤３０の後面に臨んでいる。これら各前吸引ノズル１６５の外周面には前クリーナに相当する前ブラシ１６６が固定されている。これら各前ブラシ１６６は遊技盤３０の後面に接触するものであり、昇降モータ１５６の駆動時には各前ブラシ１６６が遊技盤３０の後面に接触しながらアーム１６４と一体的に上下方向へ移動することで遊技盤３０の後面から埃を払拭する。
【００２３】
アーム１６４には、図５に示すように、複数の後吸引ノズル１６７が横一列に固定されている。これら各後吸引ノズル１６７は前後面が開口する円筒状をなすものであり、各後吸引ノズル１６７の内部空間は、図７に示すように、アーム１６４の内部空間に接続されている。これら各後吸引ノズル１６７は後吸引口に相当するものであり、装飾図柄表示器１４０の液晶画面１４１に臨んでいる。これら各後吸引ノズル１６７の外周面には後クリーナに相当する後ブラシ１６８が固定されている。これら各後ブラシ１６８は装飾図柄表示器１４０の液晶画面１４１に接触するものであり、昇降モータ１５６の駆動時には各後ブラシ１６８が装飾図柄表示器１４０の液晶画面１４１に接触しながらアーム１６４と一体的に上下方向へ移動することで装飾図柄表示器１４０の液晶画面１４１から埃を払拭する。
【００２４】
アーム１６４には円筒状の差込口１６９が固定されている。この差込口１６９はアーム１６４の内部空間に接続されたものであり、差込口１６９の外周面にはゴム製の吸引ホース１７０が接続されている。この吸引ホース１７０はフレキシブルパイプに相当するものであり、図５に示すように、ホース挿入孔１７１を通して閉鎖空間９５の外部に引出されている。このホース挿入孔１７１は上部ステー８４に形成されたものであり、吸引ホース１７０は、図５および図６に示すように、ホース挿入孔１７１の内周面に対してスライドすることでアーム１６４が上昇限度位置および下降限度位置相互間で移動することを許容する。
【００２５】
吸引ホース１７０は、図５に示すように、送風機１７２の吸気口に接続されている。この送風機１７２は吸気口から空気を吸引して排気口から排気するものであり、ファンケーシング１７３とファンケーシング１７３内に収納されたファン１７４とファン１７４を回転操作するファンモータ１７５（図８参照）を有している。この送風機１７２は表示器ケース１３０の後板部１３５に表示器収納部１３６の外部に位置して固定されたものであり、ファンモータ１７５の駆動時には空気が各前吸引ノズル１６５および各後吸引ノズル１６７からアーム１６４の内部を通して吸引ホース１７０内に吸引され、送風機１７２の吸気口から排気口を通して排気される。この送風機１７２は吸引器に相当する。
【００２６】
送風機１７２は前吸引ノズル１６５および後吸引ノズル１６７のそれぞれからアーム１６４の内部および吸引ホース１７０の内部を通って閉鎖空間９５の外部に流れる空気流を生成するものであり、昇降モータ１５６がファンモータ１７５と共に駆動したときには各前ブラシ１６６が遊技盤３０の後面から払拭した埃が空気流に乗って送風機１７２の排気口から閉鎖空間９５の外部に移送され、各後ブラシ１６８が装飾図柄表示器１４０の液晶画面１４１から払拭した埃が空気流に乗って送風機１７２の排気口から閉鎖空間９５の外部に移送される。この送風機１７２の排気口には、図５に示すように、排気ホース１７６の一端部が接続されており、排気ホース１７６の他端部はダストボックス１７７に接続されている。このダストボックス１７７は遊技者から視覚的に認識不能な表示器ケース１３０の後側に配置されたものであり、埃は送風機１７２の排気口から排気ホース１７６を通してダストボックス１７７内に送られ、ダストボックス１７７内に貯留される。
【００２７】
上意匠板１１０には、図３に示すように、遮蔽部１７８が形成されている。この遮蔽部１７８は上意匠板１１０のうち下部裏樋６４の下端面から下方へ突出する部分を称するものであり、図４に示すように、装飾図柄表示器１４０の液晶画面１４１に前方から重なっている。即ち、アーム１６４が上昇限度位置に移動した状態では左歯車台１５２と右歯車台１６０とアーム１６４と全ての前吸引ノズル１６５と全ての前ブラシ１６６と吸引ホース１７０が遮蔽部１７８の後方に位置することで視覚的に認識不能になり、アーム１６４が上昇限度位置から下降したときには左歯車台１５２と右歯車台１６０とアーム１６４と全ての前吸引ノズル１６５と全ての前ブラシ１６６と吸引ホース１７０が遊技盤３０を通して視覚的に認識可能になる。各後吸引ノズル１６７および各後ブラシ１６８はアーム１６４の後方に位置するものであり、アーム１６４が上昇限度位置から下降したときであっても前方から視覚的に認識不能にアーム１６４によって隠される。
【００２８】
昇降モータ１５６は、図８に示すように、モータ駆動回路１７９を介して制御回路に相当する清掃制御回路１８０に接続されている。この清掃制御回路１８０はマイクロコンピュータを主体に構成されたものであり、電源が投入されることに基づいてモータ駆動回路１７９を駆動し、モータ駆動回路１７９から昇降モータ１５６に駆動電源を印加することに基づいてアーム１６４を移動操作する。このアーム１６４の移動操作は清掃制御回路１８０のＲＯＭに予め記録された清掃パターンで行われるものである。この清掃パターンはアーム１６４を上昇限度位置から下降限度位置まで往動操作した後に下降限度位置から上昇限度位置に復動操作するものであり、各前ブラシ１６６は遊技盤３０の後面を上から下および下から上へ順に払拭し、各後ブラシ１６８は装飾図柄表示器１４０の液晶画面１４１を上から下および下から上へ順に払拭し、アーム１６４は清掃パターンに応じた清掃運転が終了することに基づいて上昇限度位置で停止する。即ち、左歯車台１５２と右歯車台１６０とアーム１６４と全ての前吸引ノズル１６５と全ての前ブラシ１６６と吸引ホース１７０は清掃運転時にのみ上意匠板１１０の遮蔽部１７８から露出するものであり、清掃運転時以外は遮蔽部１７８の後方に視認不能に隠されている。
【００２９】
清掃制御回路１８０には清掃スイッチ１８１が接続されている。この清掃スイッチ１８１は表示器ケース１３０の後側に配置されたものであり、内枠２の閉鎖状態では前方から操作不能にされている。この清掃スイッチ１８１は内枠２を開放状態に回動操作することで前方から操作可能に露出するものであり、清掃制御回路１８０は清掃運転の停止状態で清掃スイッチ１８１が操作されたことを検出したときにはモータ駆動回路１７９から昇降モータ１５６に駆動電源を印加することに基づいてアーム１６４を清掃パターンで移動操作する。
【００３０】
ファンモータ１７５は、図８に示すように、モータ駆動回路１８２を介して清掃制御回路１８０に接続されており、清掃制御回路１８０は電源の投入時および清掃スイッチ１８１の操作時に昇降モータ１５６に駆動電源を印加することに同期してファンモータ１７５に駆動電源を継続的に印加する。即ち、送風機１７２はアーム１６４の移動中には継続的に運転されるものであり、アーム１６４の移動中には前ブラシ１６６が遊技盤３０の後面から払拭する埃および後ブラシ１６８が装飾図柄表示器１４０の液晶画面１４１から払拭する埃の双方をダストボックス１７７内に回収する。要するに清掃運転は電源投入時には自動的に必ず行われ、電源投入時以外には清掃スイッチ１８１を操作する手動で行われる。
９．遊技盤ユニット２０の装着状態について
遊技盤ユニット２０は上皿板１２および窓枠１７の双方が開放された状態で前方から内枠２の遊技盤収納部５内に収納されるものである。この遊技盤ユニット２０の収納状態では裏樋６０の左下厚さ調整部６８と右下厚さ調整部６９と左上厚さ調整部７０と右上厚さ調整部７１のそれぞれが内枠２の支え部６によって後方から支えられ、左下厚さ調整部６８が遊技盤３０と共に前方のストッパ９と後方の支え部６との間で挟持され、右下厚さ調整部６９が遊技盤３０と共に前方のストッパ９と後方の支え部６との間で挟持されており、残りの各ストッパ７が遊技盤３０に前方から重なるロック状態に回動操作されたときには左上厚さ調整部７０が遊技盤３０と共に前方のストッパ７と後方の支え部６との間で挟持され、右上厚さ調整部７１が遊技盤３０と共に前方のストッパ７と後方の支え部６との間で挟持される。遊技盤ユニット２０は上皿板１２および窓枠１７の双方が開放された状態で内枠２の遊技盤収納部５内から取外されるものである。この場合には両ストッパ７を遊技盤３０の前方から外れるアンロック状態に回動操作し、左上厚さ調整部７０と右上厚さ調整部７１のそれぞれを遊技盤３０と共に挟持解除状態にする。
１０．遊技機能の説明
装飾図柄表示器１４０の液晶画面１４１には、図９の（ａ）に示すように、左列の図柄要素と中列の図柄要素と右列の図柄要素のそれぞれとして「１」「２」「３」「４」「５」「６」「７」「８」のいずれかの数字が変動停止状態で表示されており、遊技球が電動始動装置４２の上始動口４３内および下始動口４４内のいずれかに入賞したときには、図９の（ｂ）に示すように、３列の図柄要素が変動停止状態から変動状態になる。この変動状態とは縦一列に並ぶ「１」〜「８」の８種の図柄要素を縦方向に表示範囲が移動するようにスクロール表示するものであり、各列の図柄要素は上から下へ移動しながら「１」→「２」→「３」→「４」→「５」→「６」→「７」→「８」→「１」…の順序で循環的に変化する。これら左列の図柄要素と中列の図柄要素と右列の図柄要素は装飾図柄を構成するものであり、装飾図柄は（１）左列の図柄要素（２）右列の図柄要素（３）中列の図柄要素の順序で変動停止する。
【００３１】
左列の図柄要素および右列の図柄要素の両者が変動停止した状態でリーチの組合せになったときには複数種の演出映像が選択的に表示される。このリーチの組合せとは、図９の（ｃ）に示すように、左列の図柄要素および右列の図柄要素が相互に同一な組合せを称するものであり、演出映像とは最終の中列の図柄要素が左列の図柄要素および右列の図柄要素と同一の数字で変動停止するか否かを演出する物語調の映像を称する。図９の（ｄ）〜（ｆ）は演出映像の一例を示すものであり、殿が風呂の熱さに耐えられるか否かで中列の図柄要素が左列の図柄要素および右列の図柄要素と同一の数字で変動停止するか否かが演出される。
【００３２】
左列の図柄要素と右列の図柄要素と中列の図柄要素の全てが変動停止した状態で大当りの組合せになったときには大当り遊技が開始され、大当りの組合せとは相違する外れの組合せになったときには大当り遊技が開始されない。大当りの組合せは左列の図柄要素と中列の図柄要素と右列の図柄要素が相互に同一な組合せを称するものであり、大当りの組合せには「１１１」「２２２」「３３３」「４４４」「５５５」「６６６」「７７７」「８８８」の８通りが設定されている。大当り遊技は特別電動入賞装置４６の扉４７を開放し、特別電動入賞装置４６の特別入賞口内に遊技球が入賞することを許容する遊技者有利の状態を発生させるものであり、扉４７は特別入賞口内に上限値（例えば１０個）の遊技球が入賞する個数条件または開放時間が上限値（例えば３０ｓｅｃ）に達する時間条件が満足されるまで開放状態に保持される。この扉４７の個数条件および時間条件を基準とする開閉動作は大当りラウンドと称されるものであり、大当りラウンドは固定的な設定回数（例えば１５回）だけ繰返される。
【００３３】
上記実施例１によれば次の効果を奏する。
昇降モータ１５６を運転することで遊技盤３０の後面および装飾図柄表示器１４０の液晶画面１４１のそれぞれから埃を払拭し、ファンモータ１７５を昇降モータ１５６と同時に運転することで遊技盤３０の後面から払拭した埃および装飾図柄表示器１４０の液晶画面１４１から払拭した埃の双方を空気流に乗せて閉鎖空間９５の外部に移送する構成とした。このため、遊技盤３０とスペーサ９０と装飾図柄表示器１４０が相互に接合された構成であっても遊技盤３０を装飾図柄表示器１４０から取外すことなく遊技盤３０の後面および装飾図柄表示器１４０の液晶画面１４１のそれぞれから埃を払拭して排出することができる。従って、遊技盤３０の後面および装飾図柄表示器１４０の液晶画面１４１のそれぞれを容易に清掃することができるので、装飾図柄表示器１４０の表示内容が埃の影響で不鮮明になることを防止できる。しかも、内枠２から遊技盤ユニット２０を取外すことなく遊技盤３０の後面および装飾図柄表示器１４０の液晶画面１４１のそれぞれを清掃することができる。このため、内枠２から遊技盤ユニット２０を取外すために電動始動装置４２のハーネスおよび特別電動入賞装置４６のハーネスのそれぞれを内枠２の制御基板から取外す必要がなくなるので、遊技盤３０の後面の清掃作業および装飾図柄表示器１４０の液晶画面１４１の清掃作業のそれぞれが簡単になる。
【００３４】
アーム１６４が上昇限度位置に停止した状態で左歯車台１５２と右歯車台１６０とアーム１６４と全ての前吸引ノズル１６５と全ての前ブラシ１６６と吸引ホース１７０が上意匠板１１０の遮蔽部１７８の後方に視認不能に隠れるように構成した。このため、アーム１６４を上昇限度位置に停止させておくことで清掃装置１５０を遊技者から視認不能に隠すことができるので、装飾図柄表示器１４０の表示内容の見栄えが清掃装置１５０の影響で低下することを防止できる。
【００３５】
清掃制御回路１８０が電源投入時に清掃運転を自動的に行う構成とした。このため、遊技者が遊技を始める前に遊技盤３０の後面および装飾図柄表示器１４０の液晶画面１４１の双方が必ず清掃されるので、遊技者が装飾図柄表示器１４０の鮮明な表示内容を常に楽しむことができる。しかも、清掃制御回路１８０が清掃スイッチ１８１の操作時に清掃運転を行う構成とした。このため、遊技盤３０の後面の汚れ具合または装飾図柄表示器１４０の液晶画面１４１の汚れ具合が大きいときには清掃スイッチ１８１を繰返し操作することで清掃運転を繰返し行うことができるので、遊技盤３０の後面および装飾図柄表示器１４０の液晶画面１４１のそれぞれから汚れを十分に落すことができる。
【００３６】
遊技盤３０の後面を払拭する前クリーナとして前ブラシ１６６を使用した。このため、遊技盤３０の後面に入賞口装置およびワープルート等の出張りがあったときでも前ブラシ１６６が入賞口装置およびワープルート等の出張りに引掛ることなく移動するので、前ブラシ１６６が遊技盤３０の後面の出張りに引掛ることに基づいて清掃装置１５０が清掃運転の途中で異常停止することを防止できる。
【００３７】
上記実施例１においては、アーム１６４に複数の前吸引ノズル１６５および複数の前ブラシ１６６のみを設け、装飾図柄表示器１４０の液晶画面１４１を払拭することなく遊技盤３０の後面のみを払拭する構成としても良い。または、アーム１６４に複数の後吸引ノズル１６７および複数の後ブラシ１６８のみを設け、遊技盤３０の後面を払拭することなく装飾図柄表示器１４０の液晶画面１４１のみを払拭する構成としても良い。
【００３８】
上記実施例１においては、左部ステー８２および右部ステー８３相互間の上端部に水平な上ガイドレールを固定し、左部ステー８２および右部ステー８３相互間の下端部に水平な下ガイドレールを固定し、上ガイドレールおよび下ガイドレールの双方にアーム１６４を垂直に装着しても良い。この構成の場合、アーム１６４を上ガイドレールおよび下ガイドレールの双方に沿って水平方向へスライド操作することで遊技盤３０の後面を複数の前ブラシ１６６によって払拭し、装飾図柄表示器１４０の液晶画面１４１を複数の後ブラシ１６８によって払拭すると良い。
【００３９】
上記実施例１においては、前ブラシ１６６に換えてワイパまたはフォームまたはスポンジを使用しても良い。
上記実施例１においては、後ブラシ１６８に換えてワイパまたはフォームまたはスポンジを使用しても良い。
【００４０】
上記実施例１においては、アーム１６４に前吸引ノズル１６５を接続することに換えて前吸引孔を形成しても良い。
上記実施例１においては、アーム１６４に後吸引ノズル１６７を接続することに換えて後吸引孔を形成しても良い。
【００４１】
上記実施例１においては、複数の前ブラシ１６６および複数の後ブラシ１６８のそれぞれをアーム１６４に直接的に接合しても良い。
上記実施例１においては、蛇腹状の吸引ホース１７０を伸縮させることでアーム１６４の移動を許容する構成としても良い。
【００４２】
上記実施例１においては、清掃運転を装飾図柄表示器１４０の表示内容に連動して行う構成としても良い。この場合、リーチ状態で昇降モータ１５６およびファンモータ１７５を運転し、アーム１６４をリーチ状態で移動操作することに基づいてリーチ状態を視覚的に演出することが好ましい。
【図面の簡単な説明】
【００４３】
【図１】実施例１を示す図（パチンコ遊技機の全体構成を示す斜視図）
【図２】遊技盤ユニットおよび内枠を分解状態で示す斜視図
【図３】遊技盤ユニットを分解状態で示す斜視図
【図４】遊技盤を示す前面図
【図５】清掃装置をアームが上昇限度位置に停止した状態で示す前面図
【図６】清掃装置をアームが下降限度位置に移動した状態で示す前面図
【図７】図５のＸ線に沿う断面図
【図８】電気的構成を示す図
【図９】図柄遊技の映像の一例を示す図
【符号の説明】
【００４４】
３０は遊技盤、９０はスペーサ、９５は閉鎖空間、１１０は上意匠板、１４０は装飾図柄表示器、１４１は液晶画面、１５０は清掃装置、１５１は左ガイドレール、１５６は昇降モータ、１５９は右ガイドレール、１６４はアーム、１６５は前吸引ノズル、１６６は前ブラシ、１６７は後吸引ノズル、１６８は後ブラシ、１７０は吸引ホース、１７２は送風機、１７８は遮蔽部、１８０は清掃制御回路を示している。
【図１】
2007190247.tif 000003
【図２】
2007190247.tif 000004
【図３】
2007190247.tif 000005
【図４】
2007190247.tif 000006
【図５】
2007190247.tif 000007
【図６】
2007190247.tif 000008
【図７】
2007190247.tif 000009
【図８】
2007190247.tif 000010
【図９】
2007190247.tif 000011